(57)【要約】      （修正有）【課題】複数種のクレジットカード又はポイントカードを統括して管理することによって、一枚のクレジットカード又はポイントカードを用意するだけで、多数の店舗で商取引できるようにしたカードの統括管理システムを提供する。【解決手段】カードの統括管理システムを管理する管理会社に設けられたサーバーコンピュータ２は各グループに所属するクレジットカードを識別して記憶するメモリ３を有し、自己のグループが管理するクレジットカードを用いて、自己のグループが管理する店舗で商取引をした場合に、サーバーコンピュータ２は当該店舗に対して当該システム使用料金を管理会社へ支払うよう管理し、一方、自己のグループが管理するクレジットカードを用いて、他のグループが管理する店舗で商取引をした場合に、サーバコンピュータ２は当該他の店舗に対して当該システム使用料金の他に、特別手数料を管理会社へ支払うよう管理する。【選択図】図１
2010272056.tif 000002
【特許請求の範囲】
【請求項１】
各グループに所属するクレジットカードを統括して管理するカードの統括管理システムであって、
当該システムを管理する管理会社に設けられたサーバコンピュータは各グループに所属するクレジットカードを識別して記憶するメモリを有し、
自己のグループが管理するクレジットカードを用いて、自己のグループが管理する店舗で商取引をした場合に、前記サーバコンピュータは当該店舗に対して当該システム利用料金を管理会社へ支払うよう管理し、
一方、自己のグループが管理するクレジットカードを用いて、他のグループが管理する店舗で商取引をした場合に、前記サーバコンピュータは当該他の店舗に対して当該システム利用料金の他に、特別手数料を管理会社へ支払うよう管理することを特徴とするカードの統括管理システム。
【請求項２】
各グループに所属するポイントカードを統括して管理するカードの統括管理システムであって、
当該システムを管理する管理会社に設けられたサーバコンピュータは各グループに所属するポイントカードを識別して記憶するメモリを有し、
自己のグループが管理するポイントカードを用いて、自己のグループが管理する店舗で商取引をした場合に、前記サーバコンピュータは当該店舗に対して当該システム利用料金を管理会社へ支払うよう管理し、
一方、自己のグループが管理するポイントカードを用いて、他のグループが管理する店舗で商取引をした場合に、前記サーバコンピュータは当該他の店舗に対して当該システム利用料金の他に、特別手数料を管理会社へ支払うよう管理することを特徴とするカードの統括管理システム。
【請求項３】
前記グループは企業が管理することを特徴とする請求項１又は２に記載のカードの統括管理システム。
【請求項４】
前記グループは商店会が管理することを特徴とする請求項１又は２に記載のカードの統括管理システム。
【請求項５】
前記クレジットカード又はポイントカードは、ＩＣが搭載されたカード、又は、磁気カードの少なくとも何れかであることを特徴とする請求項１乃至請求項４の何れか１項に記載のカードの統括管理システム。
【発明の詳細な説明】
【技術分野】
【０００１】
本発明は、クレジットカード、ポイントカードの統括管理サービスに関するものである。
【背景技術】
【０００２】
近年、現金取引に替わってクレジットカードを用いた商取引が多用されている。クレジットカードを用いて商取引をする場合、顧客には商取引の金額に応じたポイントが付与されるという利点がある。
【発明の概要】
【発明が解決しようとする課題】
【０００３】
しかし、従前のクレジットカードシステムにおいては、複数のクレジットカード発行会社が存在し、各クレジットカード発行会社はそれぞれ専用のクレジットカードを発行しているために、店舗によっては、一のクレジットカード発行会社の発行するクレジットカードは使用できるが他のクレジットカード発行会社の発行するクレジットカードは使用できない場合があった。
【０００４】
このため、一般の消費者は、多数の店舗での商取引に対応しようとして、多数枚のクレジットカードを所有する場合があり、このような場合には、クレジットカードの管理が非常に繁雑で面倒あるという問題があった。
【０００５】
又、特許文献１には、クレジットカード処理方法およびクレジットカード処理プログラムに関する発明が記載されている。しかし、この特許文献１は、複数枚のクレジットカードに優先順位を付けてクレジットカードを効果的に使い分けできるようにすることを内容とするものであって、あくまでも、複数枚のクレジットカードを所有することを前提としている。
【０００６】
本発明は、前記従来技術の問題点に鑑みてなされたもので、その目的は、複数種のクレジットカード又はポイントカードを統括して管理することによって、一枚のクレジットカード又はポイントカードを用意するだけで、多数の店舗で商取引できるようにしたカードの統括管理システムを提供することにある。
【課題を解決するための手段】
【０００７】
請求項１に記載の発明は、各グループに所属するクレジットカードを統括して管理するカードの統括管理システムであって、
当該システムを管理する管理会社に設けられたサーバーコンピュータは各グループに所属するクレジットカードを識別して記憶するメモリを有し、
自己のグループが管理するクレジットカードを用いて、自己のグループが管理する店舗で商取引をした場合に、前記サーバーコンピュータは当該店舗に対して当該システム使用料金を管理会社へ支払うよう管理し、
一方、自己のグループが管理するクレジットカードを用いて、他のグループが管理する店舗で商取引をした場合に、前記サーバコンピュータは当該他の店舗に対して当該システム使用料金の他に、特別手数料を管理会社へ支払うよう管理することを特徴とするものである。
【０００８】
請求項２に記載の発明は、各グループに所属するポイントカードを統括して管理するカードの統括管理システムであって、
当該システムを管理する管理会社に設けられたサーバーコンピュータは各グループに所属するポイントカードを識別して記憶するメモリを有し、
自己のグループが管理するポイントカードを用いて、自己のグループが管理する店舗で商取引をした場合に、前記サーバーコンピュータは当該店舗に対して当該システム使用料金を管理会社へ支払うよう管理し、
一方、自己のグループが管理するポイントカードを用いて、他のグループが管理する店舗で商取引をした場合に、前記サーバーコンピュータは当該他の店舗に対して当該システム使用料金の他に、特別手数料を管理会社へ支払うよう管理することを特徴とするものである。
【０００９】
請求項３に記載の発明は、請求項１又は２に記載の発明において、前記グループは企業が管理することを特徴とするものである。
【００１０】
請求項４に記載の発明は、請求項１又は２に記載の発明において、前記グループは商工会議所又は商店会が管理することを特徴とするものである。
【００１１】
請求項５に記載の発明は、請求項１乃至請求項４の何れか１項に記載の発明において、前記クレジットカード又はポイントカードは、ＩＣが搭載されたＩＣカード、又は、磁気カードの少なくとも何れかであることを特徴とするものである。
【発明の効果】
【００１２】
請求項１に記載の発明によれば、各顧客は、自己のグループが管理するクレジットカードを用いて、他のグループが管理する店舗で商取引をすることができるために、顧客は複数枚のクレジイトカードを準備することなく、一枚のクレジットカードを所有するだけで、多数の店舗で商品を購入する等の商取引を行うことができる。
【００１３】
請求項２に記載の発明によれば、各顧客は、自己のグループが管理するポイントカードを用いて、他のグループが管理する店舗で商取引をすることができるために、顧客は複数枚のポイントカードを準備することなく、一枚のポイントカードを所有するだけで、多数の店舗で商品を購入する等の商取引を行うことができる。
【００１４】
請求項３に記載の発明によれば、企業が各グループを管理することができる。
【００１５】
請求項４に記載の発明によれば、商工会議所、又は商店街が各グループを管理することができる。
【００１６】
請求項５に記載の発明によれば、ＩＣが搭載されたカード、又は磁気カードによって、クレジットカードを構成することができる。
【図面の簡単な説明】
【００１７】
【図１】図１は、本実施形態の全体構成図である。
【図２】図２は、管理会社の事業収益の内訳を示す図である。
【図３】図３は、複数種のクレジットカードが統括される旨を示す図である。
【図４】図４は管理会社の他に事業パートナーを設けると共に、特別手数料の振り分けを示す図である。
【発明を実施するための形態】
【００１８】
図１は、本実施形態の全体構成図を示す。以下の実施形態においては、図１に示すように、三つの第１店舗、第２店舗、第３店舗が存在し、各第１店舗、第２店舗、第３店舗について、それぞれ一の顧客Ａ，顧客Ｂ，顧客Ｃがそれぞれ対応している場合について説明する。尚、本発明は、クレジットカード並びにポイントカードの双方に適用できるものであるが、以下の説明では、クレジットカードを用いた実施形態について説明する。
【００１９】
各第１店舗、第２店舗、第３店舗にはクライアントコンピュータ１が配置され、当該システムを管理する管理会社にはサーバーコンピュータ２が配置され、サーバーコンピュータ２とクライアントコンピュータ１とはインターネットによって接続されている。
【００２０】
サーバーコンピュータ２は、メモリ３と制御装置４を内蔵している。メモリ３には、店舗情報や、顧客情報が格納され、又、本システムを実行するためのプログラムが格納されている。制御装置４は、メモリ３に格納されているプログラムを読み出して、実行するように構成されている。
【００２１】
又、前記制御装置４は、各顧客Ａ，顧客Ｂ，顧客Ｃが、自己のグループＧ１，Ｇ２，Ｇ３がそれぞれ管理するクレジットカードを用いて、自己のグループＧ１，Ｇ２，Ｇ３がそれぞれ管理する各第１店舗、第２店舗、第３店舗で商取引をした場合に、前記サーバーコンピュータ２が当該各第１店舗、第２店舗、第３店舗に対して本システム利用料金を管理会社へ支払うよう管理し、
一方、各顧客Ａ，顧客Ｂ，顧客Ｃが、自己のグループＧ１，Ｇ２，Ｇ３がそれぞれ管理するクレジットカードを用いて、他のグループＧ１，Ｇ２，Ｇ３がそれぞれ管理する第１店舗、第２店舗、第３店舗で商取引をした場合に、前記サーバーコンピュータ２が当該他の第１店舗、第２店舗、第３店舗に対して本システム利用料金の他に、特別手数料を管理会社へ支払うよう管理するようにプログラムされているものである。
【００２２】
前記顧客情報としては、各顧客を特定するための住所、氏名、管理番号や、各顧客が何れのグループＧ１，Ｇ２，Ｇ３に属するクレジットカードを所有しているかの情報等が該当する。
【００２３】
尚、図中、５は金融機関を示す。
【００２４】
次ぎに作用について説明する。図１に示すように、顧客Ａが第１店舗に設置されているクライアントコンピュータ１から顧客情報を入力して、サーバーコンピュータ２に登録されたとする。この場合、顧客Ａは第１店舗が所属する第１グループＧ１に所属することになる。又、顧客Ａが所有するクレジットカードが第１グループＧ１に所属する旨が当該クレジットカードに記憶される。
【００２５】
又、顧客Ｂが第２店舗に設置されているクライアントコンピュータ１から顧客情報を入力して、サーバーコンピュータ２に登録されたとする。この場合、顧客Ｂは第２店舗が所属する第２グループＧ２に所属することになる。又、顧客Ｂが所有するクレジットカードに第２グループＧ２に所属する旨が記憶される。
【００２６】
同様に、顧客Ｃが第３店舗に設置されているクライアントコンピュータ１から顧客情報を入力して、サーバーコンピュータ２に登録されたとする。この場合、顧客Ｃは第３店舗が所属する第３グループＧ３に所属することになる。又、顧客Ｃが所有するクレジットカードに第３グループＧ３に所属する旨が記憶される。
【００２７】
次ぎに、顧客Ａが、図１中、実線で示すように、第１店舗で商品を購入する等の商取引をしたとする。この場合、顧客Ａの所有するクレジットカードに記録されている顧客Ａの顧客情報を第１店舗に設置されているカードリーダで読み取ってサーバーコンピュータ２へ送信することで、サーバーコンピュータ２は顧客Ａが自己が所属するグループＧ１に所属する店舗で商取引をしたことを認識する。
【００２８】
顧客Ａには、購入金額に応じたポイントが付与される一方、顧客Ａの購入金額が金融機関５の顧客Ａの口座から引き落とされて、第１店舗の口座に入金される。そして、第１店舗は、金融機関５の第１店舗の口座から当該システム利用料金を管理会社に対して支払う。
【００２９】
次ぎに、顧客Ｂが、図１中、実線で示すように、第２店舗で商品を購入する等の商取引をしたとする。この場合、顧客Ｂの所有するクレジットカードに記録されている顧客Ｂの顧客情報を第２店舗に設置されているカードリーダで読み取ってサーバーコンピュータ２へ送信することで、サーバーコンピュータ２は顧客Ｂが自己が所属するグループＧ２に所属する店舗で商取引をしたことを認識する。
【００３０】
この場合、顧客Ｂには、購入金額に応じたポイントが付与される一方、顧客Ｂの購入金額が金融機関５の顧客Ｂの口座から引き落とされて、第２店舗の口座に入金される。そして、第２店舗は、金融機関５の第２店舗の口座から当該システム利用料金を管理会社に対して支払う。
【００３１】
又、顧客Ｃが、図１中、実線で示すように、第３店舗で商品を購入する等の商取引をしたとする。この場合、顧客Ｃが所有するクレジットカードに記録されている顧客Ｃの顧客情報を第１店舗に設置されているカードリーダで読み取ってサーバーコンピュータ２へ送信することで、サーバーコンピュータ２は顧客Ｃが自己が所属するグループＧ３に所属する店舗で商取引をしたことを認識する。
【００３２】
この場合、顧客Ｃには、購入金額に応じたポイントが付与される一方、顧客Ｃの購入金額が金融機関５の顧客Ｃの口座から引き落とされて、第３店舗の口座に入金される。そして、第３店舗は、金融機関５の第３店舗の口座から当該システム利用料金を管理会社に対して支払う。
【００３３】
以上のように、各顧客Ａ、Ｂ，Ｃが、自己が所属するグループＧ１，Ｇ２，Ｇ３の第１店舗、第２店舗、第３店舗でそれぞれ商取引をした場合、各第１店舗、第２店舗、第３店舗は管理会社に対して、本システムの利用料金を支払う。
【００３４】
次ぎに、顧客Ａが、図１中、破線で示すように、第２店舗で商品を購入する等の商取引をしたとする。この場合、顧客Ａの所有するクレジットカードに記録されている顧客Ａの顧客情報を第２店舗に設置されているカードリーダで読み取ってサーバーコンピュータ２へ送信することで、サーバーコンピュータ２は顧客Ａが自己が所属するグループＧ２に所属しない第２店舗で商取引をしたことを認識する。
【００３５】
この場合、顧客Ａには、購入金額に応じたポイントが付与される一方、顧客Ａの購入金額が金融機関５の顧客Ａの口座から引き落とされて、第２店舗の口座に入金される。そして、第２店舗は、金融機関５の第２店舗の口座から当該システム利用料金を支払うと共に、特別手数料金を支払う。ここで、特別手数料金とは、各顧客Ａ、顧客Ｂ，顧客Ｃがそれぞれ所属するグループＧ１，Ｇ２，Ｇ３が管理するクレジットカードを用いて、他のグループＧ１，Ｇ２，Ｇ３が管理する第１店舗、第２店舗、第３店舗で商取引をした場合に、他のグループＧ１，Ｇ２，Ｇ３が管理する第１店舗、第２店舗、第３店舗が管理会社へ支払う料金を意味する。
【００３６】
又、顧客Ｂが、図１中、破線で示すように、第１店舗で商品を購入する等の商取引をしたとする。この場合、顧客Ｂの所有するクレジットカードに記録されている顧客Ｂの顧客情報を第１店舗に設置されているカードリーダで読み取ってサーバーコンピュータ２へ送信することで、サーバーコンピュータ２は顧客Ｂが自己が所属するグループＧ２に所属しない第１店舗で商取引をしたことを認識する。
【００３７】
この場合、顧客Ｂには、購入金額に応じたポイントが付与される一方、顧客Ｂの購入金額が金融機関５の顧客Ｂの口座から引き落とされて、第１店舗の口座に入金される。そして、第１店舗は、金融機関５の第１店舗の口座から管理会社に対して、当該システム利用料金を支払うと共に、特別手数料金を支払う。
【００３８】
又、顧客Ｃが、図１中、破線で示すように、第２店舗で商品を購入する等の商取引をしたとする。この場合、顧客Ｃの所有するクレジットカードに記録されている顧客Ｃの顧客情報を第２店舗に設置されているカードリーダで読み取ってサーバーコンピュータ２へ送信することで、サーバーコンピュータ２は顧客Ｃが自己が所属するグループＧ３に所属しない第２店舗で商取引をしたことを認識する。
【００３９】
この場合、顧客Ｃには、購入金額に応じたポイントが付与される一方、顧客Ｃの購入金額が金融機関５の顧客Ｃの口座から引き落とされて、第２店舗の口座に入金される。そして、第２店舗は、金融機関５の第２店舗の口座から管理会社に対して、当該システム利用料金を支払うと共に、特別手数料金を支払う。
【００４０】
以上の実施形態では、図２に示すように、管理会社の収益は、固定収益としてのシステム利用料金と、変動収益としての特別手数料が該当する。
【００４１】
以上のように、各顧客Ａ，顧客Ｂ、顧客Ｃは、自己のグループＧ１，Ｇ２，Ｇ３が管理するクレジットカードを用いて、他のグループＧ１，Ｇ２，Ｇ３が管理する店舗で商取引をすることができるために、顧客は複数枚のクレジットカードを準備することなく、一枚のクレジットカードを所有するだけで、多数の店舗で商品を購入する等の商取引を行うことができる。この状態は図３に示すものであって、複数種のクレジットカードを統括して管理するものである。又、クレジットカードとして、同図に示すように、ＩＣを搭載したＩＣカード、磁気カード等が該当する。
【００４２】
尚、以上の実施形態では、各グループＧ１，Ｇ２，Ｇ３は企業が管理するようにしても良いし、又は、地方公共団体や、商工会議所や、商店街が管理するようにしても良い。
【００４３】
次ぎに、図４は、管理会社の他に、事業パートナーＸを設けると共に、特別手数料の振り分けを示す図である。管理会社は、事業パートナーＸ、本システムの管理費用、地域活性化のために使用する費用、募金に使用する費用等に振り分けることができる。ここで、事業パートナーＸとは、各店舗を直接管理する企業等が該当する。
【００４４】
尚、以上の説明において、各顧客に付与されるポイントのポイント率は任意に設定、変更が可能である。
【先行技術文献】
【特許文献】
【００４５】
【特許文献１】特開２００３−７６９２７号公報
【符号の説明】
【００４６】
１  クライアントコンピュータ
２  サーバーコンピュータ
３  メモリ
４  制御装置
５  金融機関
Ｘ  事業パートナー
【図１】
2010272056.tif 000003
【図２】
2010272056.tif 000004
【図３】
2010272056.tif 000005
【図４】
2010272056.tif 000006